(57)【要約】【課題】  針金等を摘みに引っ掛けるサムターン摘みの不正解錠が阻止でき、良好な操作性が確保できる防犯サムターンを得る。【解決手段】  固定筒２１に内設されるコア軸３５と、固定筒２１内に内設されるサムターン筒４３と、サムターン筒４３に摺動自在に内設されるストッパー４９，５１と、サムターン筒４３に連動回転しストッパー４９，５１を進入させるストッパー退避凹部３８ａを有した摘み杆３８と、摘み杆３８に取り付けられる摘み４１と、ストッパー４９，５１の係合を解除する一対のボタンと、一対のストッパー４９，５１を挟むとともに、他端部同士が接近方向に配置される一対の解除交差部材と、コア軸３５の突起板３９を挟持しコア軸３５の回転によって開脚され、この開脚動作によって解除交差部材を介して一対のストッパー４９，５１を係合解除方向に摺動させる二対の挟持板７３ａ，７３ｂ，７５ａ，７５ｂとを設けた。【選択図】      図１
2005171750.tif 000002
【特許請求の範囲】
【請求項１】
扉に固定される固定筒と、
該固定筒に回転自在に内設され錠箱の入出力軸に連結されるコア軸と、
前記固定筒に回転自在に内設されるサムターン筒と、
該サムターン筒に軸線直交方向で摺動自在に内設され該サムターン筒の外周から突出して前記固定筒に係合することで該サムターン筒の回転を阻止する一対のストッパーと、
前記サムターン筒に所定の遊び角を許容して連動回転し該ストッパーを進入させて前記係合を解除する方向の該ストッパーの移動を可能にするストッパー退避凹部を外周に有した摘み杆と、
該摘み杆に取り付けられ屋内側へ突出する板状の摘みと、
脚部を有し該摘みの表裏面に突出され同時に押し込まれることで該脚部を介して前記ストッパーの係合を解除する一対のボタンと、
該一対のボタンを離反方向に付勢することで前記脚部を介して前記ストッパーを係合方向に付勢するボタン付勢バネと、
前記サムターン筒に軸線直交方向で摺動自在に内設され圧縮バネによって離間された一端部同士の間隙で前記一対のストッパーを挟むとともに、他端部同士が接近方向に配置される一対の解除交差部材と、
前記サムターン筒に揺動自在に支持され前記コア軸に突設された突起板を軸線直交方向の両側から挟持し前記コア軸の回転入力で前記突起板によって開脚され、該開脚動作によって前記一対の解除交差部材の他端部同士を離反方向に移動して前記一端部同士で前記一対のストッパーを係合解除方向に摺動させる二対の挟持板と、
を具備したことを特徴とする防犯サムターン。
【請求項２】
扉に固定される固定筒と、
該固定筒に回転自在に内設され錠箱の入出力軸に連結されるコア軸と、
前記固定筒に回転自在に内設されるサムターン筒と、
該サムターン筒に同軸に連結されて連動する摘み杆と、
該摘み杆に取り付けられ屋内側へ突出する板状の摘みと、
該サムターン筒に軸線直交方向で摺動自在に内設され該サムターン筒の外周から突出して前記固定筒に形成された軸線方向の係合溝に係合することで該サムターン筒の回転を阻止する一対の主ストッパーと、
前記サムターン筒に軸線直交方向で摺動自在に内設され付勢手段によって該サムターン筒の外周から突出して前記係合溝に係合することで該サムターン筒の回転を阻止するとともに前記主ストッパーの前記係合を解除する方向の移動に従動して係合が解除され且つ前記係合溝に進入する係合部の溝幅方向の寸法が前記主ストッパーの係合部の溝幅方向の寸法より大きい一対の副ストッパーと、
脚部を有し該摘みの表裏面に突出され同時に押し込まれることで該脚部を介して前記主ストッパーの係合を解除する一対のボタンと、
該一対のボタンを離反方向に付勢することで前記脚部を介して前記主ストッパーを係合方向に付勢するボタン付勢バネと、
前記サムターン筒に軸線直交方向で摺動自在に内設され圧縮バネによって離間された一端部同士の間隙で前記一対の主ストッパーを挟むとともに、他端部同士が接近方向に配置される一対の解除交差部材と、
前記サムターン筒に揺動自在に支持され前記コア軸に突設された突起板を軸線直交方向の両側から挟持し前記コア軸の回転入力で前記突起板によって開脚され、該開脚動作によって前記一対の解除交差部材の他端部同士を離反方向に移動して前記一端部同士で前記一対の主ストッパーを係合解除方向に摺動させる二対の挟持板と、
を具備したことを特徴とする防犯サムターン。
【請求項３】
前記ボタンが、前記摘みの屋内側への突出方向の略中央の位置で前記摘みの表裏面から突出されたことを特徴とする請求項１又は２記載の防犯サムターン。
【請求項４】
前記摘みが前記摘み杆に回転可能に取り付けられ、
前記ボタンが前記摘み杆から半径方向外側に向かって突出され、
該摘み杆から突出されたボタンを遊嵌させることで前記摘みの前記摘み杆に対する回転を規制するボタン貫通穴が前記摘みに穿設され、
該ボタン貫通穴と前記ボタンとが偏芯するように前記摘みが前記摘み杆に対して回転されることで該ボタン貫通穴の周縁に当接して前記ボタンの押し込みを阻止する段部が、前記ボタンに形成されたことを特徴とする請求項１，２，３のいずれか１つに記載の防犯サムターン。
【請求項５】
前記一対のボタンは、それぞれの押し込みストロークに遊び長さを有しており、前記両ボタンの各遊び長さの合計と略同等の高さとなる凸部が、前記一対のボタンの互いに対向する面の少なくともいずれか一方に設けられ、前記一対のボタンがそれぞれ押し込まれた際に、前記凸部を挟んで前記両ボタンが位置することを特徴とする請求項１，２，３，４のいずれか１つに記載の防犯サムターン。
【発明の詳細な説明】
【技術分野】
【０００１】
本発明は、扉の屋内面に突出させた摘みの回転を規制することで、錠箱に対する不正な解錠操作力の入力を阻止する防犯サムターンに関する。
【背景技術】
【０００２】
マンションや住宅等に設けられる玄関扉には錠箱が設けられ、錠箱は扉木口から進退させたデッドボルトを扉枠に係合・係合解除させて、扉を施解錠する施解錠機構を内蔵している。錠箱は、屋外側からのシリンダー錠による施解錠操作力、或いは屋内側からのサムターンによる施解錠操作力の入力によって施解錠動作される。すなわち、屋外側からはシリンダー錠の合鍵による操作が必要になる一方、屋内側からは合鍵を用いずに摘みのみの回転操作で施解錠が簡便に行えるようになっている。
【０００３】
この種のサムターンは、下記特許文献１にも開示されるように、扉の屋内面側に垂直に突出した板状の摘みを有する。この摘みは、サムターン軸を介して錠箱の施解錠機構に連結される。従って、屋内側からは、この摘みを指で摘んで正逆回転操作することで、回転操作力がサムターン軸を介して直接錠箱へ伝達され、施解錠機構によりデッドボルトが進退されて、簡便な施解錠操作が可能となる。
【０００４】
ところが、近年、ポスト口や、機械工具によって開けた小さな穴から棒や針金等を挿入し、回転操作の容易なサムターンに係止して回転させ、施錠装置を解錠する不正解錠が増えている。このようなサムターンに針金等を係止して回転させることを防止するものに例えば下記特許文献２に開示されるサムターン用防犯カバーがある。
【０００５】
この防犯カバーは、サムターンが嵌入する嵌入孔が形成されるとともに、回転時に円状軌跡を描くサムターンの外面を覆う部分が、円状軌跡に沿う円形状に形成されている。そして、嵌入孔内に螺入してサムターンの側面に当接し、両側から挟持するセットスクリューが設けられる。この防犯カバーは、嵌入孔にサムターンを挿入し、サムターンに防犯カバーを覆うように被せ、その後セットスクリューを螺入させて締め付けることで、サムターンに固定する。従って、サムターンに被せた防犯カバーによって、針金等を係止させて回転させることが難しくなる。
【０００６】
また、上記した防犯カバーの別態様として、防犯カバーを、取付部と本体部とから構成したものが開示されている。取付部は、上記の防犯カバーの外形を手での操作が容易となるように形成し、本体部が係止する係止突部を備えている。取付部は、サムターンに被せた状態で、サムターンを容易に回転させることができる。また、本体部は、係止突部に係止可能な係止部を有し、係止作業という簡単な作業で、防犯カバーの着脱が行える。さらに係止部で本体部が空転することから、針金等を係止させて回転させることが不可能となっていた。
【特許文献１】特公平２−１５７１５号公報（第１図ｂ，第１図ｃ）
【特許文献２】実公平４−４０３６２号公報
【発明の開示】
【発明が解決しようとする課題】
【０００７】
しかしながら、上記した従来の防犯カバーは、外形が円筒体形状であるため、手指によって板状の摘みを挟み持つ従来の摘み操作が行えず、操作性が低下した。
また、円形状の防犯カバーをサムターンに被せた場合、本来小判形状であることからその回転位置によって視認できたサムターンの施錠状態又は非施錠状態を視認不能にしてしまい、これによっても誤操作が生じ易くなって、施解錠の操作性を低下させる問題があった。
さらに、サムターンを回転操作可能にする取付部と、この取付部に対し空転し、且つ着脱可能となる本体部とから構成されているため、脱着した本体部の保管管理が煩雑となり、本体部を紛失する虞もあった。
【０００８】
本発明は上記状況に鑑みてなされたもので、挿入した針金や棒等を摘みに引っ掛ける等するサムターン摘みの不正解錠が阻止可能になるとともに、良好な操作性が確保でき、しかも、一般的なサムターンと同様に、摘みの垂直・水平姿勢が視認可能となる防犯サムターンを得ることを目的とする。
【課題を解決するための手段】
【０００９】
次に、上記の課題を解決するための手段を、実施の形態に対応する図面を参照して説明する。
本発明の請求項１記載の防犯サムターン１００は、扉に固定される固定筒２１と、
該固定筒２１に回転自在に内設され錠箱の入出力軸に連結されるコア軸３５と、
前記固定筒２１に回転自在に内設されるサムターン筒４３と、
該サムターン筒４３に軸線直交方向で摺動自在に内設され該サムターン筒４３の外周から突出して前記固定筒２１に係合することで該サムターン筒４３の回転を阻止する一対のストッパー４９，５１と、
前記サムターン筒４３に所定の遊び角αを許容して連動回転し該ストッパー４９，５１を進入させて前記係合を解除する方向の該ストッパー４９，５１の移動を可能にするストッパー退避凹部３８ａを外周に有した摘み杆３８と、
該摘み杆３８に取り付けられ屋内側へ突出する板状の摘み４１と、
脚部６３ａ，６５ａを有し該摘み４１の表裏面に突出され同時に押し込まれることで該脚部６３ａ，６５ａを介して前記ストッパー４９，５１の係合を解除する一対のボタン６３，６５と、
該一対のボタン６３，６５を離反方向に付勢することで前記脚部６３ａ，６５ａを介して前記ストッパー４９，５１を係合方向に付勢するボタン付勢バネ６６と、
前記サムターン筒４３に軸線直交方向で摺動自在に内設され圧縮バネ７１によって離間された一端部同士の間隙で前記一対のストッパー４９，５１を挟むとともに、他端部同士が接近方向に配置される一対の解除交差部材６７，６９と、
前記サムターン筒４３に揺動自在に支持され前記コア軸３５に突設された突起板３９を軸線直交方向の両側から挟持し前記コア軸３５の回転入力で前記突起板３９によって開脚され、該開脚動作によって前記一対の解除交差部材６７，６９の他端部同士を離反方向に移動して前記一端部同士で前記一対のストッパー４９，５１を係合解除方向に摺動させる二対の挟持板７３ａ，７３ｂ，７５ａ，７５ｂと、
を具備したことを特徴とする。
【００１０】
この防犯サムターン１００では、ボタン６３，６５を押下しながらの回転力が摘み４１に加えられなければ、摘み４１による操作が行えず、これにより、挿入した針金や棒等を摘みに引っ掛ける等して、摘み４１を回転することによる不正解錠が阻止される。また、一般的なサムターンと同様に、摘み４１を摘んで回動操作が行え、施錠時にはボタン操作に関わらず施錠が行えるとともに、屋外からのシリンダー錠による合鍵操作時にはボタン６３，６５による規制が自動解除されて、摘み４１が回転される。さらに、従来の防犯カバーが被せられる構成と異なり、摘み４１を板状に形成したので、垂直・水平姿勢が視認可能となる。また、突起板３９を上下で挟む二対の挟持板７３ａ，７３ｂ，７５ａ，７５ｂが、コア軸３５の突起板３９を軸線直交方向の左右両側から合計二対で、すなわち、４枚の挟持板７３ａ，７３ｂ，７５ａ，７５ｂで挟持するので、コア軸３５の右回転、左回転の何れの回転でも等しいモーメントで挟持板７３ａ，７３ｂ，７５ａ，７５ｂが開脚される。これに加え、摘み４１がボタン６３，６５の押し込みより先に回されると、ストッパー退避凹部３８ａがストッパー４９，５１から位置ずれし、ストッパー４９，５１がストッパー退避凹部３８ａに退避できなくなり、ストッパー４９，５１の解除が不能となる。
【００１１】
請求項２記載の防犯サムターン３００は、扉に固定される固定筒２１と、
該固定筒２１に回転自在に内設され錠箱の入出力軸に連結されるコア軸３５と、
前記固定筒２１に回転自在に内設されるサムターン筒４３と、
該サムターン筒４３に同軸に連結されて連動する摘み杆１１３と、
該摘み杆１１３に取り付けられ屋内側へ突出する板状の摘み１１７と、
該サムターン筒４３に軸線直交方向で摺動自在に内設され該サムターン筒４３の外周から突出して前記固定筒２１に形成された軸線方向の係合溝５５に係合することで該サムターン筒４３の回転を阻止する一対の主ストッパー１０１，１０３と、
前記サムターン筒４３に軸線直交方向で摺動自在に内設され付勢手段１０９，１１１によって該サムターン筒４３の外周から突出して前記係合溝５５に係合することで該サムターン筒４３の回転を阻止するとともに前記主ストッパー１０１，１０３の前記係合を解除する方向の移動に従動して係合が解除され且つ前記係合溝５５に進入する係合部１０５ｃ，１０７ｃの溝幅方向の寸法Ｌ１が前記主ストッパー１０１，１０３の係合部１０１ｃ，１０３ｃの溝幅方向の寸法Ｌ２より大きい一対の副ストッパー１０５，１０７と、
脚部６３ａ，６５ａを有し該摘み１１７の表裏面に突出され同時に押し込まれることで該脚部６３ａ，６５ａを介して前記主ストッパー１０１，１０３の係合を解除する一対のボタン１２７，１２９と、
該一対のボタン１２７，１２９を離反方向に付勢することで前記脚部６３ａ、６５ａを介して前記主ストッパー１０１，１０３を係合方向に付勢するボタン付勢バネ６６と、
前記サムターン筒４３に軸線直交方向で摺動自在に内設され圧縮バネ７１によって離間された一端部同士の間隙で前記一対の主ストッパー１０１，１０３を挟むとともに、他端部同士が接近方向に配置される一対の解除交差部材６７，６９と、
前記サムターン筒４３に揺動自在に支持され前記コア軸３５に突設された突起板３９を軸線直交方向の両側から挟持し前記コア軸３５の回転入力で前記突起板３９によって開脚され、該開脚動作によって前記一対の解除交差部材６７，６９の他端部同士を離反方向に移動して前記一端部同士で前記一対の主ストッパー１０１，１０３を係合解除方向に摺動させる二対の挟持板７３ａ，７３ｂ，７５ａ，７５ｂと、
を具備したことを特徴とする。
【００１２】
この防犯サムターン３００では、ボタン１２７，１２９を押下しながらの回転力が摘み１１７に加えられなければ、摘み１１７による操作が行えず、これにより、挿入した針金や棒等を摘みに引っ掛ける等して、摘み１１７を回転することによる不正解錠が阻止される。また、一般的なサムターンと同様に、摘み１１７を摘んで回動操作が行え、施錠時にはボタン操作に関わらず施錠が行えるとともに、屋外からのシリンダー錠による合鍵操作時にはボタン１２７，１２９による規制が自動解除されて、摘み１１７が回転される。さらに、従来の防犯カバーが被せられる構成と異なり、摘み１１７を板状に形成したので、垂直・水平姿勢が視認可能となる。また、突起板３９を上下で挟む二対の挟持板７３ａ，７３ｂ，７５ａ，７５ｂが、コア軸３５の突起板３９を軸線直交方向の左右両側から合計二対で、すなわち、４枚の挟持板７３ａ，７３ｂ，７５ａ，７５ｂで挟持するので、コア軸３５の右回転、左回転の何れの回転でも等しいモーメントで挟持板７３ａ，７３ｂ，７５ａ，７５ｂが開脚される。これに加え、一方のボタン１２７が押し込められた状態で摘み１１７に回転力が加えられると、副ストッパー１０５が係合溝５５の溝縁等に圧接されて係合溝５５から外れた状態に保持可能となるが、一方のボタン１２７から棒等を離して他方のボタン１２９を押圧しようとすると、主ストッパー１０１，１０３の係合部１０１ｃ，１０３ｃの溝幅方向の寸法Ｌ２が副ストッパー１０５，１０７の係合部１０５ｃ，１０７ｃの溝幅方向の寸法Ｌ１より小さいことから、係合溝５５の溝縁に圧接する副ストッパー１０５のみが係合解除状態に保持され、溝幅方向の寸法が小さい主ストッパー１０１は係合溝５５の溝縁に圧接することなく、ボタン付勢バネ６６によって再び係合溝５５に進入する。これにより、ボタンを押圧しながら回転力を加えることで、ボタン操作による係合解除状態を保持させようとする不正操作が不能となる。
【００１３】
請求項３記載の防犯サムターン２００は、前記ボタン６３，６５が、前記摘み９１の屋内側への突出方向の略中央の位置で前記摘み９１の表裏面から突出されたことを特徴とする。
【００１４】
この防犯サムターン２００では、摘み９１の最適な挟持位置とボタン位置とが一致し、摘み９１の最適な回転操作位置が挟持されれば、同時にボタン６３，６５の押し込みも可能となり、操作性が高められる。
【００１５】
請求項４記載の防犯サムターン３００は、前記摘み１１７が前記摘み杆１１３に回転可能に取り付けられ、
前記ボタン１２７，１２９が前記摘み杆１１３から半径方向外側に向かって突出され、
該摘み杆１１３から突出されたボタン１２７，１２９を遊嵌させることで前記摘み１１７の前記摘み杆１１３に対する回転を規制するボタン貫通穴１３１が前記摘み１１７に穿設され、
該ボタン貫通穴１３１と前記ボタン１２７，１２９とが偏芯するように前記摘み１１７が前記摘み杆１１３に対して回転されることで該ボタン貫通穴１３１の周縁１３１ａに当接して前記ボタン１２７，１２９の押し込みを阻止する段部１３３が前記ボタン１２７，１２９に形成されたことを特徴とする。
【００１６】
この防犯サムターン３００では、ボタン１２７，１２９が先に回転され、ボタン貫通穴１３１にボタン１２７，１２９が遊嵌された遊び分、ボタン１２７，１２９に対してボタン貫通穴１３１が偏芯すると、ボタン１２７，１２９が段部１３３をボタン貫通穴１３１の周縁１３１ａに当接させる位置に配置され、ボタン１２７，１２９がボタン貫通穴１３１内へ押し込み不能となる。
【００１７】
請求項５記載の防犯サムターン４００は、前記一対のボタン６３，６５は、それぞれの押し込みストロークＳ６３，Ｓ６５に遊び長さＳｐ６３，Ｓｐ６５を有しており、前記両ボタン６３，６５の各遊び長さＳｐ６３，Ｓｐ６５の合計と略同等の高さとなる凸部１５１，１５３が、前記一対のボタン６３，６５の互いに対向する面の少なくともいずれか一方に設けられ、前記一対のボタン６３，６５がそれぞれ押し込まれた際に、前記凸部１５１，１５３を挟んで前記両ボタン６３，６５が位置することを特徴とする。
【００１８】
この防犯サムターン４００では、各ボタン６３，６５の押し込みストロークＳ６３，Ｓ６５に、遊び長さＳｐ６３，Ｓｐ６５があり、また各ボタン６３，６５間に位置することとなる凸部１５１，１５３を有することで、一方のボタン６３を先に押し込むと、他方のボタン６５の押し込みストロークＳ６５に遊び長さＳｐ６３分干渉を起こすこととなり、これにより他方のボタン６５を十分に押し込むことが不可能となる。このことから、一方のボタン６３を先行して押し込んだ状態で、摘み４１に回転力を加え、その後に他方のボタン６５を押し込み操作をするような不正な操作等では、一方のボタン６３の脚部６３ａによるストッパー５１の係合解除は可能となっても、他方のボタン６５は押し込み不足で脚部６５ａによるストッパー４９の係合が解除されていないこととなる。すなわち、一対のボタン６３，６５を同時に押し込むことでのみ、それぞれが略同等のストロークとなって押し込まれ、各脚部６３ａ，６５ａが一対のストッパー４９，５１の係合を同時に解除することとなり、この操作でのみ摘み４１の回転が可能となることから、摘み４１に対して正面からの操作のみを受け付けることとなって、針金や棒などを使用する不正な操作が一層行い難くなり、防犯性を向上させることができる。
【発明の効果】
【００１９】
本発明に係る請求項１記載の防犯サムターンによれば、ボタンによる規制を解除して摘みを回転可能としたので、ボタンを押下しながら摘みに回転力を加えなければ摘みによる操作は行えず、これにより、挿入した針金や棒等を摘みに引っ掛ける等して、サムターン摘みを回転することによる不正解錠を阻止でき、防犯性を向上させることができる。また、一般的なサムターンと同様に、摘みを摘んで回動操作が行え、施錠時にはボタンに関わらず施錠が行えるとともに、屋外からのシリンダー錠による合鍵操作時にはボタンの規制が自動解除されて摘みが回転するので、良好な操作性を確保することができる。さらに、従来の防犯カバーを被せるのと異なり、摘みの形状が板状であるので垂直・水平姿勢が視認でき、一般的なサムターンと同様に、室内側からの施解錠状態を容易に確認することができる。また、二対の挟持板で、コア軸の突起板を軸線直交方向の両側から挟持するので、コア軸の右回転、左回転の何れの回転でも等しいモーメントで挟持板を開脚でき、シリンダー錠の左右勝手に関わらずスムースな合鍵操作を可能にすることができる。これに加え、摘みがボタンの押し込みより先に回されると、ストッパー退避凹部がストッパーから位置ずれし、ストッパーの解除が不能となるので、挿入した針金や棒等を摘みに引っ掛ける等した、サムターン摘みの回転が一層行い難くなり、防犯性をさらに向上させることができる。
【００２０】
請求項２記載の防犯サムターンによれば、ボタンによる規制を解除して摘みを回転可能としたので、ボタンを押下しながら摘みに回転力を加えなければ摘みによる操作は行えず、これにより、挿入した針金や棒等を摘みに引っ掛ける等して、サムターン摘みを回転することによる不正解錠を阻止でき、防犯性を向上させることができる。また、一般的なサムターンと同様に、摘みを摘んで回動操作が行え、施錠時にはボタンに関わらず施錠が行えるとともに、屋外からのシリンダー錠による合鍵操作時にはボタンの規制が自動解除されて摘みが回転するので、良好な操作性を確保することができる。さらに、従来の防犯カバーを被せるのと異なり、摘みの形状が板状であるので垂直・水平姿勢が視認でき、一般的なサムターンと同様に、室内側からの施解錠状態を容易に確認することができる。また、二対の挟持板で、コア軸の突起板を軸線直交方向の両側から挟持するので、コア軸の右回転、左回転の何れの回転でも等しいモーメントで挟持板を開脚でき、シリンダー錠の左右勝手に関わらずスムースな合鍵操作を可能にすることができる。これに加え、主ストッパーと副ストッパーの２つのストッパーを備えたので、一方のボタンを押し込めた状態で摘みに回転力を加えることで、ストッパーを係合溝の溝縁等に圧接して係合溝から外れた状態に保持させることができても、一方のボタンから棒等を離して他方のボタンを押圧しようとすると、主ストッパーの係合部の溝幅方向の寸法が副ストッパーの係合部の溝幅方向の寸法より小さいことから、係合溝の溝縁に圧接する副ストッパーのみが係合解除状態に保持され、溝幅方向の寸法が小さい主ストッパーは係合溝の溝縁に圧接することがなく、ボタン付勢バネによって再び係合溝に進入することとなる。これにより、所謂ピッキングと同様の原理による不正解錠を阻止でき、防犯性をさらに向上させることができる。
【００２１】
請求項３記載の防犯サムターンによれば、ボタンを、摘みの屋内側への突出方向の略中央の位置で摘みの表裏面から突出させたので、摘みの最適な挟持位置とボタン位置とが一致し、摘みの挟持と共にボタンの押圧が可能となって、操作性を向上させることができる。
【００２２】
請求項４記載の防犯サムターンによれば、摘みを摘み杆に回転自在に取り付け、ボタンを摘み杆から突出させ、摘みにボタン貫通穴を穿設し、このボタン貫通穴にボタンを挿通して摘みを摘み杆に取り付け、さらに、ボタンにはボタン貫通穴の周縁に当接する段部を形成したので、ボタンが先に回転され、遊嵌された遊び分、ボタンに対してボタン貫通穴が偏芯すると、ボタンの段部がボタン貫通穴の周縁に当接して、ボタンの押し込みを阻止することができる。この結果、挿入した針金や棒等を摘みに引っ掛ける等した、サムターン摘みの回転が一層行い難くなり、防犯性をさらに向上させることができる。
【００２３】
請求項５記載の防犯サムターンによれば、一対のボタンの押し込みストロークに、遊び長さがあり、また各ボタン間に位置することとなる凸部を有することで、一方のボタンを先に押し込むと、他方のボタンの押し込みストロークに遊び長さ分干渉を起こすこととなり、これにより他方のボタンを十分に押し込むことが不可能となる。このことから、一方のボタンを先行して押し込んだ状態で、摘みに回転力を加え、その後に他方のボタンを押し込み操作をするような不正な操作等では、一方のボタンの脚部によるストッパーの係合解除は可能となっても、他方のボタンは押し込み不足で脚部によるストッパーの係合が解除されていないこととなる。すなわち、一対のボタンを同時に押し込むことでのみ、それぞれが略同等のストロークとなって押し込まれ、各脚部が一対のストッパーの係合を同時に解除することとなり、この操作でのみ摘みの回転が可能となることから、摘みに対して正面からの操作のみを受け付けることとなって、針金や棒などを使用する不正な操作が一層行い難くなり、防犯性を向上させることができる。
【発明を実施するための最良の形態】
【００２４】
以下、本発明に係る防犯サムターンの好適な実施の形態を図面を参照して詳細に説明する。
図１は本発明に係る防犯サムターンの縦断面図、図２は本発明に係る防犯サムターンの水平断面図、図３は図１に示した防犯サムターンの分解図である。
【００２５】
本実施の形態による防犯サムターン１００が取付けられる図示しない扉には、錠箱が設けられる。錠箱は、ラッチボルト、デッドボルト、及びこれらを扉の木口から進退させる錠箱機構部を内設している。錠箱のデッドボルトは、扉の屋外側の面に設けたシリンダー錠を合鍵（キー）によって、又は扉の屋内側の面に設けられたサムターン摘み（以下、単に「摘み」と称す）を回動することによって扉の木口から進退可能となっている。防犯サムターン１００は、以下の構成によって、摘み操作を有効又は不能にするよう作動される。
【００２６】
扉又は錠箱には固定筒２１が固定される。固定筒２１の軸線方向一端側の外周には一対の固定部２３，２３が突設され、固定部２３，２３は固定穴２５を有している。固定筒２１は、扉内に設けられた錠箱にこの固定穴２５を介して固定される。
【００２７】
固定筒２１の先端にはスペーサリング２６が外挿される。スペーサリング２６の外周には中央穴２７を有した飾り筒２９が被せられて固定される。この飾り筒２９の外周側先端部には、先端が平坦な円錐形状の化粧リング３１が外装される。化粧リング３１は、後端の折り曲げ部３１ａと、飾り筒２９の後端面との間に配設されたバネ３３の付勢力によって後端が扉の屋内面Ｄｓに押付けられる。
【００２８】
固定筒２１の内部にはコア軸３５が回転自在に内設され、コア軸３５は後部が錠箱からの図示しない入出力軸に連結されている。コア軸３５は、錠箱側に押さえリング３６が挟入され、この押さえリング３６が、固定筒２１の内周に形成された周溝２１ａに係止する固定リング３７によって固定筒２１からの脱落が防止される。コア軸３５は、先端面に突起板３９を突設している。従って、錠箱の図示しない入出力軸が回転されれば、突起板３９が回転される。
【００２９】
固定筒２１の後端側内部には、サムターン筒４３が回転自在に内設される。また、固定筒２１の先端側内部には、摘み４１の取り付けられる摘み杆３８が回転自在に内設される。摘み杆３８は、サムターン筒４３に所定の遊び角を許容して連動回転する。この摘み杆３８の外周には直径方向両端で一対のストッパー退避凹部３８ａが形成され、ストッパー退避凹部３８ａは後述するストッパーを進入させて、ストッパーの係合を解除する方向の移動を可能にする。
【００３０】
摘み４１は、輪郭形状が例えば図２に示すような半円形状の曲線となるような板状で形成されている。これにより、針金を摘み４１に引っ掛けようとしたり、棒を当てて押し回ししようとしても、角部がないため針金や棒が滑り易く、これら不正な回転操作力が印加され難くなっている。また、角部がなくなることで、手指によるフィット感も良好となる。
【００３１】
摘み４１は、摘み杆３８に固定ネジ４０によって固定されるベース部材４２に装着される。装着は、ベース部材４２の後端部に、摘み４１の爪４１ａを掛止して行うことができる。摘み杆３８に取り付けられた摘み４１は、板状となって飾り筒２９の中央穴２７から屋内側へ突出される。これにより、摘み４１は、水平・垂直方向が把握し易くなっている。
【００３２】
サムターン筒４３の後部は筒状部４５となり、筒状部４５には直径方向の両端に開口する切欠４７（図３参照）が形成されている。筒状部４５の後端面からは後述の挟持板を支持する一対の軸４５ａ，４５ａが錠箱へ向かって突設されている。この筒状部４５の内部には、筒状部４５の軸線直交方向で摺動自在となる一対のストッパー４９，５１が内設されている。ストッパー４９には図３に示す脚部係合部４９ａと、解除面４９ｂが形成されている。また、ストッパー５１には図５に示す脚部係合部５１ａと、解除面５１ｂが形成されている。さらに、ストッパー４９，５１には、サムターン筒４３の半径方向外側に位置する係合部４９ｃ，５１ｃが設けられ、この係合部４９ｃ，５１ｃは上記のストッパー退避凹部３８ａに進入可能となっている。
【００３３】
一対のストッパー４９，５１は、後述のボタンに設けられた脚部が脚部係合部４９ａ，５１ａに係合されることで、筒状部４５の半径方向外側へ摺動され、切欠４７から突出し、固定筒２１に形成された係合溝５５に係合するようになっている。ストッパー４９，５１が係合溝５５に係合することで、サムターン筒４３の回動は不能となる。また、ストッパー４９，５１は、半径方向内側へ摺動されることで、係合部４９ｃ，５１ｃが係合溝５５から抜け、ストッパー退避凹部３８ａに進入することで、係合が解除されるようになっている。
【００３４】
摘み４１の表裏面には凹み５７，５７が形成されている。摘み杆３８には四角形のボタン収容穴５９が表裏面を貫通して形成されている。ボタン収容穴５９には揺動軸６１によって揺動自在となった一対のボタン６３，６５が収容されている。ボタン６３，６５は、摘み４１の表裏面の凹み５７，５７内で突出されている。ボタン６３，６５は、錠箱の方向へ向かって突出する脚部６３ａ，６５ａを有している。この脚部６３ａ，６５ａは、上記したストッパー４９，５１の脚部係合部４９ａ，５１ａへと係合される。
【００３５】
また、ボタン６３，６５同士の間にはボタン付勢バネ６６が挟入され、ボタン付勢バネ６６は、ボタン６３，６５を離反方向へ付勢している。ボタン６３，６５は、ボタン付勢バネ６６によって離反方向へ配置されることで、脚部６３ａ，６５ａが水平に並ぶようになっている。そして、この脚部６３ａ，６５ａを脚部係合部４９ａ，５１ａに係合させた一対のストッパー４９，５１は、脚部６３ａ，６５ａがこのように水平配置されることで図１に示すように、筒状部４５から突出して係合溝５５に係合する。
【００３６】
一方、ボタン６３，６５は、ボタン付勢バネ６６の付勢力に抗して接近方向へ押し込まれることで、脚部６３ａ，６５ａが開く。これにより、一対のストッパー４９，５１を、筒状部４５の半径方向内側へ摺動させて、係合溝５５との係合を解除させるよう作動する。
【００３７】
固定筒２１の内部には、サムターン筒４３の軸線直交方向で摺動自在な一対の解除交差部材６７，６９が内設されている。解除交差部材６７は、図３に示すように、縦軸６７ａの上端で摘み４１側へ向かって突出する一端部としてのストッパー挟持片６７ｂと、縦軸６７ａの下端で錠箱側へ向かって突出する他端部としての離間片６７ｃとを有している。また、解除交差部材６９は、縦軸６９ａの下端で摘み４１側へ向かって突出する一端部としてのストッパー挟持片６９ｂと、縦軸６７ａの上端で錠箱側へ向かって突出する他端部としての離間片６９ｃとを有している。
【００３８】
解除交差部材６７，６９は、ストッパー挟持片６７ｂ，６９ｂの間に挟入された圧縮バネ７１によって、離間されたストッパー挟持片６７ｂ，６９ｂ同士の間隙で、一対のストッパー４９，５１を挟むとともに、離間片６７ｃ，６９ｃ同士が接近方向に配置される。この離間片６７ｃ，６９ｃ同士の間には、後述の挟持板が配置される。
【００３９】
サムターン筒４３の軸４５ａ，４５ａには、二対の挟持板７３ａ，７３ｂ，７５ａ，７５ｂが揺動自在に支持されている。挟持板７３ａ，７３ｂ，７５ａ，７５ｂは、上記したコア軸３５の突起板３９を軸線直交方向の両側から挟持する。例えば挟持板７３ａ，７３ｂが右側から、挟持板７５ａ，７５ｂが左側からの如くである。突起板３９を挟持した挟持板７３ａ，７３ｂ，７５ａ，７５ｂは、シリンダー錠が合鍵によって回転され、これに伴ってコア軸３５が回転されることで、この突起板３９によって開脚される。挟持板７３ａ，７３ｂ，７５ａ，７５ｂは、この開脚動作によって、一対の解除交差部材６７，６９の他端部同士である離間片６７ｃ，６９ｃ同士を離反方向に移動して、一端部同士であるストッパー挟持片６７ｂ，６９ｂ同士で、一対のストッパー４９，５１を係合解除方向に摺動させる。
【００４０】
次に、上記の構成を有する防犯サムターン１００の作用を説明する。
図４は図１のＡ−Ａ断面における施錠状態を（ａ）、シリンダー錠回転状態を（ｂ）に表した動作説明図、図５は図１のＢ−Ｂ断面における施錠状態を（ａ）、シリンダー錠回転状態を（ｂ）に表した動作説明図、図６は図１のＢ−Ｂ断面における施錠状態を（ａ）、ボタン押し込み状態を（ｂ）に表した動作説明図、図７は図１のＣ−Ｃ断面における施錠状態を（ａ）、ボタンを押し込まずに摘みを回転させた状態を（ｂ）に表した動作説明図である。
【００４１】
防犯サムターン１００は、施錠状態において、摘み４１が水平方向に位置し、サムターン筒４３に内設されたストッパー４９，５１がボタン付勢バネ６６の付勢力により切欠４７から突出して図５（ａ）、図６（ａ）に示すように係合溝５５に係合している。
防犯サムターン１００の施錠状態を解除するには、摘み４１から突出している表裏面のボタン６３，６５を押下する。
ボタン６３，６５が押し込められると、脚部６３ａ，６５ａが水平に並んだ状態から開脚される。これにより、図６（ｂ）に示すように、一対のストッパー４９，５１は、筒状部４５の半径方向内側へと摺動され、係合溝５５から抜脱される。
【００４２】
その結果、ストッパー４９，５１と係合溝５５との係合が解除され、サムターン筒４３は回転が可能となって、摘み４１が垂直方向へと回転される。この際、摘み４１の垂直位置では、図２に示すように固定筒２１の内周に係合溝５５が形成されていないため、ストッパー４９，５１は筒状部４５内に後退したままの状態となる。従って、ボタン６３，６５は、押下された状態のままに保持されることになる。
【００４３】
一方、解錠状態から施錠状態にするには、ボタン６３，６５の操作に関わらず、単に摘み４１を水平状態となるまで回転操作すればよい。すなわち、垂直状態から水平状態へと摘み４１が回転されれば、その回転力がサムターン筒４３、解除交差部材６７，６９、挟持板７３ａ，７３ｂ，７５ａ，７５ｂを介してコア軸３５へ伝達されるとともに、ストッパー４９，５１が係合溝５５に一致し、ボタン付勢バネ６６の付勢力により係合溝５５に進入し、再び図５（ａ）、図６（ａ）に示した状態となり、ボタン６３，６５が突出して施錠が完了する。
【００４４】
また、施錠状態において、屋外側からシリンダー錠が合鍵によって操作されると、錠箱の入出力軸が回転し、その回転に連動してコア軸３５が回転される。コア軸３５が回転されると、突起板３９が傾き、これにより図４（ａ）から図４（ｂ）に示すように、挟持板７３ａ，７３ｂ，７５ａ，７５ｂが開脚する。挟持板７３ａ，７３ｂ，７５ａ，７５ｂが開脚されると、解除交差部材６７，６９の離間片６７ｃ，６９ｃが開かれ、その結果、解除交差部材６７，６９のストッパー挟持片６７ｂ，６９ｂが図５（ｂ）に示すように、一対のストッパー４９，５１を挟持する方向に挟み込み、係合溝５５から抜脱される方向へストッパー４９，５１を移動させる。
【００４５】
これにより、施錠状態においても、シリンダー錠の操作によって、ストッパー４９，５１の規制が解除され、摘み４１が回転されることになる。
【００４６】
さらに、例えば挿入された針金や棒等によって、摘み４１がボタン６３，６５の押し込みより先に回されると、ストッパー退避凹部３８ａが、図７（ａ）に示した状態から図７（ｂ）に示した状態へと、ストッパー４９，５１から位置ずれし、ストッパー４９，５１がストッパー退避凹部３８ａに退避できなくなり、ストッパー４９，５１の解除が不能となる。この場合、ボタン６３，６５は、摺動不能となったストッパー４９，５１によって押し込み不能となる。
【００４７】
ここで、通常操作時には、ボタン６３，６５の押し込みが容易となるように、ストッパー４９，５１がストッパー退避凹部３８ａへ進入可能に、摘み４１の位置が水平保持されることが好ましい。このような水平保持機構は、サムターン筒４３と摘み杆３８とにクリック機構を設けることで実現できる。すなわち、図７に示すように、サムターン筒４３と摘み杆３８とは、所定の遊び角αを有して相対回転可能とする。この遊び角αは、サムターン筒４３と摘み杆３８との干渉部８１、８３によって形成される間隙８５によって設定することができる。そして、サムターン筒４３側の干渉部８１に付勢バネ８７によって半径方向外側へ付勢されるクリックボール８９を設け、摘み杆３８側の干渉部８３に、このクリックボール８９の当接する凹溝９１を形成する。これにより、摘み４１が水平保持され、ストッパー退避凹部３８ａへストッパー４９，５１が進入可能となって、通常操作時でのボタン６３，６５の押し込みを容易にすることができる。
【００４８】
なお、解錠状態において、屋外側からシリンダー錠を介して施錠状態とする場合は、ストッパー４９，５１が係合状態となっていないので、通常の施錠操作となる。また、挟持板７３ａ，７３ｂ，７５ａ，７５ｂは、傾斜した突起板３９によって開脚された後には、サムターン筒４３と共に回転されることになる。
【００４９】
この防犯サムターン１００によれば、ボタン６３，６５を押下しながらの回転力が摘み４１に加えられなければ、特に、一対の各ボタン６３，６５をそれぞれ押下した状態で摘み、回転を行わなければ、摘み４１による解錠操作が行えず、これにより、挿入した針金や棒等を摘みに引っ掛ける等して、摘み４１を回転することによる不正解錠が阻止される。また、一般的なサムターンと同様に、摘み４１を摘んで回動操作が行え、施錠時にはボタン操作に関わらず施錠が行えるとともに、屋外からのシリンダー錠による合鍵操作時にはストッパー４９，５１が自動解除されて摘み４１が回転されるので、良好な操作性が確保される。さらに、従来の防犯カバーが被せられる構成と異なり、摘み４１の垂直・水平姿勢が視認可能となるので、一般的なサムターンと同様に、室内側からの施解錠状態が容易に確認できるようになる。
【００５０】
また、この防犯サムターン１００によれば、二対の挟持板７３ａ，７３ｂ，７５ａ，７５ｂで、コア軸３５の突起板３９を軸線直交方向の両側から挟持するので、コア軸３５の右回転、左回転の何れの回転でも等しいモーメントで挟持板３９を開脚でき、シリンダー錠の左右勝手に関わらずスムースな合鍵操作を可能にすることができる。
【００５１】
さらに、この防犯サムターン１００によれば、摘み４１がボタン６３，６５の押し込みより先に回されると、ストッパー退避凹部３８ａがストッパー４９，５１から位置ずれし、ストッパー４９，５１の解除が不能となるので、挿入した針金や棒等を摘みに引っ掛ける等した、サムターン摘み４１の回転が一層行い難くなり、防犯性をさらに向上させることができる。
【００５２】
なお、上述した実施の形態では、摘み４１の形状を略板状に形成した例について述べたが、これに限ることはなく、楕円状に中途部分が膨出形状とされている形状としてもよく、あるいは錐状や角柱状などの形状としてもよい。
【００５３】
次に、上記した実施の形態の変形例を説明する。
図８はボタンを摘み中央部に配置した変形例の縦断面図、図９はボタンを摘み中央部に配置した変形例の水平断面図である。なお、図１〜図７に示した部材と同等の部材には同一の符号を付し、重複する説明は省略するものとする。
この防犯サムターン２００は、ボタン６３，６５が、摘み９１の屋内側への突出方向の略中央の位置で、摘み９１の表裏面から突出されている。なお、摘み９１は、サムターン筒４３の軸線方向の摘み固定ネジ９３で摘み杆３８に螺着される。固定ネジ９３は、摘み９１の端面に凹設された凹部９１ａに収容される。凹部９１ａには、ネジカバー９５が係止状態で装着される。ネジカバー９５は、矩形状に形成され、かつ摘み９１と異なる色に着色されている。なお、ネジカバー９５は、蓄光剤を混練した樹脂や、蛍光塗料を塗布して着色してもよい。これにより、摘み固定ネジ９３がネジカバー９５に隠蔽されて露出しなくなる。また、矩形状のネジカバー９５が摘み９１と異なる色となることで、摘み９１の水平・垂直方向が把握し易い目印的な効果が生ずる。
【００５４】
この防犯サムターン２００によれば、摘み９１の最適な挟持位置とボタン位置とが一致し、摘み９１の最適な回転操作位置が挟持されれば、同時にボタン６３，６５の押し込みも可能となり、操作性を高めることができる。
【００５５】
次に、本発明に係る防犯サムターンの他の実施の形態を説明する。
図１０は他の実施の形態による防犯サムターンの縦断面図、図１１は他の実施の形態による防犯サムターンの水平断面図、図１２は図１０のＤ−Ｄ矢視を（ａ）、Ｅ−Ｅ矢視を（ｂ）に表した説明図、図１３は図１０に示した防犯サムターンの分解斜視図、図１４は図１１のＦ−Ｆ断面を（ａ）、Ｇ−Ｇ断面を（ｂ）に表した説明図である。なお、図１〜図９に示した部材と同等の部材には同一の符号を付し、重複する説明は省略するものとする。
【００５６】
本実施の形態による防犯サムターン３００は、ストッパー機構に上記の防犯サムターン１００と差異を有している。すなわち、防犯サムターン３００は、一対の主ストッパー１０１，１０３と、一対の副ストッパー１０５，１０７とを備えている。主ストッパー１０１，１０３は、サムターン筒４３に軸線直交方向で摺動自在に内設され、サムターン筒４３の外周から突出して固定筒２１に形成された軸線方向の係合溝５５に係合することで、サムターン筒４３の回転を阻止する。
【００５７】
副ストッパー１０５，１０７は、サムターン筒４３に軸線直交方向で摺動自在に内設され、コイルバネ等の付勢手段１０９，１１１によって、サムターン筒４３の外周から突出して係合溝５５に係合することで、サムターン筒４３の回転を阻止する。付勢手段１０９は、副ストッパー１０５の座面１０５ａと摘み杆１１３の筒部１１５内周上面に配設されて副ストッパー１０５を同図の下方向へ付勢する。付勢手段１１１は、副ストッパー１０７の座面１０７ａと摘み杆１１３の筒部１１５内周下面に配設されて副ストッパー１０７を同図の上方向へ付勢する。
【００５８】
副ストッパー１０５，１０７は、主ストッパー１０１，１０３の係合を解除する方向の移動に従動して係合が解除される。すなわち、図１０に示すように例えば副ストッパー１０７の場合、横片部１０７ｂが主ストッパー１０３の角部１０３ｂに押圧されて、係合解除方向へ、すなわちサムターン筒４３の半径方向内側へ従動される。また、副ストッパー１０５，１０７は、係合溝５５に進入する係合部１０５ｃ，１０７ｃの溝幅方向の寸法Ｌ１が、主ストッパー１０１，１０３の係合部１０１ｃ，１０３ｃの溝幅方向の寸法Ｌ２より大きく形成されている。
【００５９】
摘み杆１１３は、化粧リング３１の前端面から屋内側へ突出される。摘み１１７は、屋内側へ突出した摘み杆１１３の杆部１１９に、筒部１２１が外挿されるようになっている。筒部１２１を杆部１１９に外挿した摘み１１７は、摘み板１２３の前端面が固定ビス１２５によって、杆部１１９の先端に固定されるようになっている。このような組付け構造とすることで、摘み１１７の良好な組立て性が確保されている。
【００６０】
図１４（ｂ）に示すように、ボタン１２７，１２９は、表出部分を断面山形とすることで、針金や棒等で押す表面積を小さくしている。また、筒部１２１は、断面外形が楕円形状に形成され、針金や棒等による引っ掛けや押し回しが行えないようになっている。
【００６１】
また、摘み１１７は、杆部１１９に回転自在に取り付けられる。ボタン１２７，１２９は、杆部１１９から半径方向外側に向かって突出される。摘み１１７には、ボタン貫通穴１３１が穿設され、ボタン貫通穴１３１は杆部１１９から突出されたボタン１２７，１２９を遊嵌させることで、杆部１１９に対する摘み１１７の回転を規制している。そして、ボタン１２７，１２９の先端には、膨出させた先端頭部の首部に段部１３３が形成されている。段部１３３は、ボタン貫通穴１３１とボタン１２７，１２９とが偏芯するように、摘み１１７が杆部１１９に対して回転されると、ボタン貫通穴１３１の周縁１３１ａに当接して、ボタン１２７，１２９の押し込みを阻止するよう働く。
【００６２】
図１４（ａ）に示すように、摘み１１７の内周には杆部１１９との間に間隙１３５が形成されることで、摘み１１７が杆部１１９に対して遊び角αで回転可能となっている。この遊び角αに摘み１１７が回転されることで、上記段部１３３によってボタン１２７，１２９の押し込みが阻止される。このため、通常操作時には、ボタン１２７，１２９の押し込みが容易となるように、摘み１１７は水平保持されることが好ましい。このような水平保持機構は、杆部１１９と筒部１２１とにクリック機構を設けることで実現できる。すなわち、図１４（ａ）に示すように、杆部１１９に付勢バネ１３７によって外側へ付勢されるクリックピン１３９を設け、筒部１２１の内周に、このクリックピン１３９の当接するＶ溝１４１を形成する。これにより、摘み１１７が水平保持され、ボタン１２７，１２９の段部１３３がボタン貫通穴１３１の周縁１３１ａに当接しなくなり、通常操作時でのボタン１２７，１２９の押し込みを容易にすることができる。
【００６３】
次に、上記の構成を有する防犯サムターン３００の作用を説明する。
図１５は施錠状態で一対のボタンが押し込まれた状態を表した動作説明図、図１６は一方のボタンのみが押し込まれ同時に摘みに不正な回転力が加えられた状態の動作説明図、図１７は不正な回転が加えられたまま、一方のボタンへの押圧が解除された状態の動作説明図である。
【００６４】
防犯サムターン３００の施錠状態を解除するには、図１５に示すように、摘み１１７から突出している表裏面のボタン１２７，１２９を押下する。
ボタン１２７，１２９が押し込められると、脚部６３ａ，６５ａが水平に並んだ状態から開脚される。これにより、一対の主ストッパー１０１，１０３がサムターン筒４３の半径方向内側へと摺動され、これに従動して副ストッパー１０５，１０７も摺動され、主ストッパー１０１，１０３及び副ストッパー１０５，１０７の双方が係合溝５５から抜脱される。
【００６５】
その結果、主ストッパー１０１，１０３及び副ストッパー１０５，１０７と係合溝５５との係合が解除され、サムターン筒４３、摘み杆１１３は回転が可能となって、摘み１１７が垂直方向へと回転される。この際、摘み１１７の垂直位置では、図１１に示すように固定筒２１の内周に係合溝５５が形成されていないため、主ストッパー１０１，１０３及び副ストッパー１０５，１０７は筒状部４５内に後退したままの状態となる。従って、ボタン１２７，１２９は、押下された状態のままに保持されることになる。
【００６６】
一方、解錠状態から施錠状態にするには、ボタン１２７，１２９の操作に関わらず、単に摘み１１７を水平状態となるまで回転操作すればよい。すなわち、垂直状態から水平状態へと摘み１１７が回転されれば、その回転力がサムターン筒４３、解除交差部材６７，６９、挟持板７３ａ，７３ｂ，７５ａ，７５ｂを介してコア軸３５へ伝達されるとともに、主ストッパー１０１，１０３及び副ストッパー１０５，１０７が係合溝５５に一致し、ボタン付勢バネ６６の付勢力により係合溝５５に進入し、再びボタン１２７，１２９が突出して施錠が完了する。
【００６７】
また、施錠状態において、屋外側からシリンダー錠が合鍵によって操作されると、錠箱の入出力軸が回転し、その回転に連動してコア軸３５が回転される。コア軸３５が回転されると、突起板３９が傾き、これにより挟持板７３ａ，７３ｂ，７５ａ，７５ｂが開脚する。挟持板７３ａ，７３ｂ，７５ａ，７５ｂが開脚されると、解除交差部材６７，６９の離間片６７ｃ，６９ｃが開かれ、その結果、解除交差部材６７，６９のストッパー挟持片６７ｂ，６９ｂが主ストッパー１０１，１０３を挟持する方向に挟み込み、係合溝５５から抜脱される方向へ主ストッパー１０１，１０３を移動させる。また、副ストッパー１０５，１０７もこの主ストッパー１０１，１０３の移動に従動して抜脱方向へ移動される。
【００６８】
これにより、施錠状態においても、シリンダー錠の操作によって、主ストッパー１０１，１０３及び副ストッパー１０５，１０７の規制が解除され、摘み１１７が回転されることになる。
【００６９】
さらに、例えば挿入された針金や棒等によって、摘み１１７がボタン１２７，１２９の押し込みより先に回されると、摘み１１７が杆部１１９に対して遊び角αだけ回転する。これにより、ボタン１２７，１２９の段部１３３がボタン貫通穴１３１の周縁１３１ａに当接して押し込みが阻止され。
【００７０】
また、図１６に示すように、一方のボタン１２７が押し込められた状態で摘み１１７に回転力が加えられると、副ストッパー１０５が係合溝５５の溝縁等に圧接されて係合溝５５から外れた状態に保持可能となるが、一方のボタン１２７から棒等を離して他方のボタン１２９を押圧しようとすると、主ストッパー１０１の係合部の溝幅方向の寸法Ｌ２が副ストッパー１０５の係合部の溝幅方向の寸法Ｌ２より小さいことから、図１７に示すように、係合溝５５の溝縁に圧接する副ストッパー１０５のみが係合解除状態に保持され、溝幅方向の寸法が小さい主ストッパー１０１は係合溝５５の溝縁に圧接することなく、ボタン付勢バネ６６によって再び係合溝５５に進入する。これにより、ボタン１２９を押圧しながら回転力を加えることで、ボタン操作による係合解除状態を保持させようとする不正操作が不能となる。
【００７１】
この防犯サムターン３００によれば、ボタン１２７，１２９を押下しながらの回転力が摘み１１７に加えられなければ、特に、一対のボタン１２７，１２９をそれぞれ押下した状態で摘み、回転を行わなければ、摘み１１７による解錠操作が行えず、これにより、挿入した針金や棒等を摘みに引っ掛ける等して、摘み１１７を回転することによる不正解錠が阻止される。また、一般的なサムターンと同様に、摘み１１７を摘んで回動操作が行え、施錠時にはボタン操作に関わらず施錠が行えるとともに、屋外からのシリンダー錠による合鍵操作時には主ストッパー１０１，１０３及び副ストッパー１０５，１０７が自動解除されて摘み１１７が回転されるので、良好な操作性が確保される。さらに、従来の防犯カバーが被せられる構成と異なり、摘み１１７の垂直・水平姿勢が視認可能となるので、一般的なサムターンと同様に、室内側からの施解錠状態が容易に確認できるようになる。
【００７２】
また、この防犯サムターン３００によれば、二対の挟持板７３ａ，７３ｂ，７５ａ，７５ｂで、コア軸３５の突起板３９を軸線直交方向の両側から挟持するので、コア軸３５の右回転、左回転の何れの回転でも等しいモーメントで挟持板３９を開脚でき、シリンダー錠の左右勝手に関わらずスムースな合鍵操作を可能にすることができる。
【００７３】
さらに、主ストッパー１０１，１０３と副ストッパー１０５，１０７の２つのストッパーを備えたので、一方のボタン１２７を押し込めた状態で摘み１１７に回転力を加えることで、ストッパーを係合溝５５の溝縁等に圧接して係合溝５５から外れた状態に保持させることができても、一方のボタン１２７から棒等を離して他方のボタン１２９を押圧しようとすると、主ストッパー１０１，１０３の係合部１０１ｃ，１０３ｃの溝幅方向の寸法Ｌ２が副ストッパー１０５，１０７の係合部１０５ｃ，１０７ｃの溝幅方向の寸法Ｌ１より小さいことから、係合溝５５の溝縁に圧接する副ストッパー１０５，１０７のみが係合解除状態に保持され、溝幅方向の寸法が小さい主ストッパー１０１，１０３は係合溝５５の溝縁に圧接することがなく、ボタン付勢バネ６６によって再び係合溝５５に進入することとなる。これにより、所謂ピッキングと同様の原理による不正解錠を阻止でき、防犯性をさらに向上させることができる。
【００７４】
次に、本発明に係る防犯サムターンのさらに他の実施の形態を説明する。
図１８は他の実施の形態による防犯サムターンの縦断面図である。なお、この他の実施の形態においては、上述した実施の形態の防犯サムターン１００を基本構造とし、図１〜９に示した部材と同等の部材には同一の符号を付し、重複する説明は省略するものとする。
【００７５】
この実施の形態による防犯サムターン４００は、一対のボタンに上記の防犯サムターン１００と差異を有している。すなわち、防犯サムターン４００は、一対のボタン６３，６５の押し込みストロークＳ６３，Ｓ６５に遊び長さＳｐ６３，Ｓｐ６５を有した構成とされるとともに、各ボタン６３，６５間に位置する凸部１５１，１５３を備えた構成とされている。
【００７６】
一対のボタン６３，６５は、互いに対向する面に、凸部１５１，１５３が設けられている。これら凸部１５１，１５３は、この実施の形態では、図１８に示すように、略球面状に膨出形成されており、双方が同等の突出高さに形成される。そして、これら凸部１５１，１５３は、両ボタン６３，６５をそれぞれ押し込んだ際には、互いに当接することとなる（図１９参照）。各ボタン６３，６５は、揺動軸６１を中心に揺動自在とされるが、その揺動長さである押し込みストロークＳ６３，Ｓ６５は、解除ストロークＳｃ６３，Ｓｃ６５と遊び長さＳｐ６３，Ｓｐ６５との合計とされる。各ボタン６３，６５がそれぞれ同時に同距離揺動され押し込まれると、それぞれの解除ストロークＳｃ６３，Ｓｃ６５だけ揺動して、両ボタン６３，６５の凸部１５１，１５３が互いに当接し、それぞれの脚部６３ａ，６５ａが図１９に示すように開脚される。これにより各ストッパー４９，５１が、筒状部４５の半径方向内側へと摺動され、係合溝５５から抜脱され、サムターン筒４３が回転可能となる。
この実施の形態では、凸部１５１，１５３が、各ボタン６３，６５のそれぞれに形成され、すなわち凸部として２分割構成とされており、各凸部１５１，１５３の高さが各ボタン６３，６５の遊び長さＳｐ６３，Ｓｐ６５と同等となっている。
【００７７】
これらボタン６３，６５の押し込みストロークＳ６３，Ｓ６５は、図２１の概略説明図にて示す通り、例えば一方のボタン６３では、図２１（ａ）に示すように、ストッパー５１が係合を解除される位置である揺動軸６１の中心を通る中心線ＣＬまでの揺動距離が解除ストロークＳｃ６３となり、これを超える揺動距離が遊び長さＳｐ６３となる。同様にボタン６５では、図２１（ｂ）に示すように、Ｓｃ６５が解除ストロークとなり、Ｓｐ６５が遊び長さとなる。ここで一方のボタン６３が先行して押し込まれた場合、この一方のボタン６３は、解除ストロークＳｃ６３を超えて押し込みストロークＳ６３の長さを揺動され（図２１（ａ）参照）、これによって他方のボタン６５の解除ストロークＳｃ６５範囲内に進入することとなる。すなわち、中心線ＣＬを超えて他方のボタン６５側に一方のボタン６３の凸部１５１が位置することとなる。なお、この状態では、一方のストッパー５１が筒状部４５の半径方向内側へと摺動され、係合溝５５から抜脱状態となる。その後、他方のボタン６５を押し込み操作を行うと、他方のボタン６５の凸部１５３は、十分に移動することなく一方のボタン６３の凸部１５１に当接することとなる。このことから、この他方のボタン６５の解除ストロークＳｃ６５は、両ボタン６３，６５の遊び長さＳｐ６３，Ｓｐ６５の合計分戻される（図２１（ｂ）のＳｒ６５）こととなる。これにより、他方のストッパー４９が筒状部４５の半径方向内側へと十分に摺動せず、係合溝５５から抜脱されないこととなる。すなわち図２１（ｂ）に示すように、他方のボタン６５は中心線ＣＬから角度Ｒ分押し戻されるような状態となり、図２０に示すように、双方のボタン６３，６５が同時押し込まれる場合に両凸部１５１，１５３が当接する位置となる中心線ＣＬから戻され角度β分、両ボタン６３，６５を同時に同等長さ押し込んだ場合に比べて、揺動した位置（角度）となる。そして、上記したように、これらボタン６３，６５の各脚部６３ａ，６５ａによって一方のストッパー５１は解除されるが、他方のストッパー４９は解除されず、このことから、摘み４１は回転することが不可能となる。
【００７８】
したがってこの防犯サムターン４００によれば、各ボタン６３，６５の押し込みストロークＳ６３，Ｓ６５に、遊び長さＳｐ６３，Ｓｐ６５があり、また各ボタン６３，６５間に位置することとなる凸部１５１，１５３を有することで、一方のボタン６３を先に押し込むと、他方のボタン６５の押し込みストロークＳ６５に遊び長さＳｐ６３分の干渉を起こすこととなり、これにより他方のボタン６５を十分に押し込むことが不可能となる。このことから、一方のボタン６３を先行して押し込んだ状態で、摘み４１に回転力を加え、その後に他方のボタン６５を押し込み操作をするような不正な操作では、一方のボタン６３の脚部６３ａによるストッパー５１の係合解除は可能となっても、他方のボタン６５は押し込み不足で脚部６５ａによるストッパー４９の係合が解除されていないこととなる。すなわち、一対のボタン６３，６５を同時に押し込むことでのみ、それぞれが略同等のストロークとなって押し込まれ、各脚部６３ａ，６５ａが一対のストッパー４９，５１の係合を同時に解除することとなり、この操作でのみ摘み４１の回転が可能となることから、摘み４１に対して正面からの指による両ボタン６３，６５へのバランスの良い操作のみを受け付けることとなって、針金や棒などを使用する不正な操作が一層行い難くなり、防犯性を向上させることができる。
【００７９】
なお、上述した凸部１５１，１５３では、各ボタン６３，６５のそれぞれに形成されるよう２分割構造として説明したが、いずれか一方のボタンに設ける構成としてもよく、すなわち、いずれか一方のボタンの対向面に、例えば略球面形状の凸部を突設させる構成としてもよい。この場合の凸部は、その高さを、両ボタン６３，６５の各遊び長さＳｐ６３，Ｓｐ６５の合計と略同等の高さ（図２１（ｂ）中のＲに相当）とすればよい。
【００８０】
また、変形例として上げた図８，図９に示す防犯サムターン２００や、他の実施の形態として述べた図１０〜図１４に示した防犯サムターン３００にも、上記したボタン６３，６５の構成である、押し込みストロークＳ６３，Ｓ６５に遊び長さＳｐ６３，Ｓｐ６５を有する構成と両ボタン６３，６５間に位置する凸部１５１，１５３とを採用することで、上記同様の効果を得ることが可能であり、防犯性が一層向上することとなる。
【図面の簡単な説明】
【００８１】
【図１】本発明に係る防犯サムターンの縦断面図である。
【図２】本発明に係る防犯サムターンの水平断面図である。
【図３】図１に示した防犯サムターンの分解図である。
【図４】図１のＡ−Ａ断面における施錠状態を（ａ）、シリンダー錠回転状態を（ｂ）に表した動作説明図である。
【図５】図１のＢ−Ｂ断面における施錠状態を（ａ）、シリンダー錠回転状態を（ｂ）に表した動作説明図である。
【図６】図１のＢ−Ｂ断面における施錠状態を（ａ）、ボタン押し込み状態を（ｂ）に表した動作説明図である。
【図７】図１のＣ−Ｃ断面における施錠状態を（ａ）、ボタンを押し込まずに摘みを回転させた状態を（ｂ）に表した動作説明図である。
【図８】ボタンを摘み中央部に配置した変形例の縦断面図である。
【図９】ボタンを摘み中央部に配置した変形例の水平断面図である。
【図１０】他の実施の形態による防犯サムターンの縦断面図である。
【図１１】他の実施の形態による防犯サムターンの水平断面図である。
【図１２】図１０のＤ−Ｄ矢視を（ａ）、Ｅ−Ｅ矢視を（ｂ）に表した説明図である。
【図１３】図１０に示した防犯サムターンの分解斜視図である。
【図１４】図１１のＦ−Ｆ断面を（ａ）、Ｇ−Ｇ断面を（ｂ）に表した説明図である。
【図１５】施錠状態で一対のボタンが押し込まれた状態を表した動作説明図である。
【図１６】一方のボタンのみが押し込まれ同時に摘みに不正な回転力が加えられた状態の動作説明図である。
【図１７】不正な回転が加えられたまま、一方のボタンへの押圧が解除された状態の動作説明図である。
【図１８】他の実施の形態による防犯サムターンの縦断面図である。
【図１９】施錠状態で一対のボタンが押し込まれた状態を表した動作説明図である。
【図２０】一方のボタンのみが押し込まれた状態の動作説明図である。
【図２１】一方のボタンの動作概略図を（ａ）、他方のボタンの動作概略図を（ｂ）に示した説明図である。
【符号の説明】
【００８２】
２１…固定筒
３５…コア軸
３８…摘み杆
３８ａ…ストッパー退避凹部
３９…突起板
４１，９１，１１７…摘み
４３…サムターン筒
４９，５１…ストッパー
５５…係合溝
６３，６５，１２７，１２９…ボタン
６３ａ，６５ａ…脚部
６６…ボタン付勢バネ
６７，６９…解除交差部材
６７ｂ，６９ｂ…一端部（ストッパー挟持片）
６７ｃ，６９ｃ…他端部（離間片）
７１…圧縮バネ
７３ａ，７３ｂ，７５ａ，７５ｂ…挟持板
１００，２００，３００，４００…防犯サムターン
１０１，１０３…主ストッパー
１０５，１０７…副ストッパー
１０９，１１１…付勢手段
１１３…摘み杆
１０１ｃ，１０３ｃ，１０５ｃ，１０７ｃ…係合部
１３１…ボタン貫通穴
１３１ａ…ボタン貫通穴の周縁
１３３…段部
１５１，１５３…凸部
Ｌ１，Ｌ２…溝幅方向の寸法
Ｓ６３，Ｓ６５…押し込みストローク
Ｓｐ６３，Ｓｐ６５…遊び長さ
α…遊び角
【図１】
2005171750.tif 000003
【図２】
2005171750.tif 000004
【図３】
2005171750.tif 000005
【図４】
2005171750.tif 000006
【図５】
2005171750.tif 000007
【図６】
2005171750.tif 000008
【図７】
2005171750.tif 000009
【図８】
2005171750.tif 000010
【図９】
2005171750.tif 000011
【図１０】
2005171750.tif 000012
【図１１】
2005171750.tif 000013
【図１２】
2005171750.tif 000014
【図１３】
2005171750.tif 000015
【図１４】
2005171750.tif 000016
【図１５】
2005171750.tif 000017
【図１６】
2005171750.tif 000018
【図１７】
2005171750.tif 000019
【図１８】
2005171750.tif 000020
【図１９】
2005171750.tif 000021
【図２０】
2005171750.tif 000022
【図２１】
2005171750.tif 000023